(57)【要約】【課題】発泡樹脂製断熱材に固定補助具が食い込まず、発泡樹脂製断熱材が破損してネジや釘が利かなくなることがなく、固定具によって発泡樹脂製断熱材を正確かつ確実に固定対象物に取り付けることができる発泡樹脂製断熱材の固定補助具及びこの固定補助具を用いた発泡樹脂製断熱材の固定構造を提供すること。【解決手段】固定具３によって発泡樹脂製断熱材２を固定対象物４に取り付けることができるようにするための発泡樹脂製断熱材２の固定補助具１で、発泡樹脂製断熱材２に固定具３の締結力を作用させる、中心に固定具３の挿通孔１３を形成した当接面部１１と、この当接面部１１から発泡樹脂製断熱材２の厚さ方向に延設し、先端が固定対象物４の表面に達する長さに形成された複数の脚部１２とを備える。【選択図】図５
2018178397.tif 000002
【特許請求の範囲】
【請求項１】
固定具によって発泡樹脂製断熱材を固定対象物に取り付けることができるようにするための固定補助具であって、発泡樹脂製断熱材に固定具の締結力を作用させる、中心に固定具の挿通孔を形成した当接面部と、該当接面部から発泡樹脂製断熱材の厚さ方向に延設し、先端が固定対象物の表面に達する長さに形成された複数の脚部とを備えることを特徴とする発泡樹脂製断熱材の固定補助具。
【請求項２】
前記当接面部が、円錐面をしてなることを特徴とする請求項１に記載の発泡樹脂製断熱材の固定補助具。
【請求項３】
前記脚部が、当接面部の中心部分が欠如し、当接面部の中心から放射状に等角度間隔に形成されてなることを特徴とする請求項１又は２に記載の発泡樹脂製断熱材の固定補助具。
【請求項４】
請求項１、２又は３に記載の固定補助具を用いた発泡樹脂製断熱材の固定構造であって、前記固定補助具が発泡樹脂製断熱材に形成された有底状の下孔に収容されるとともに、該固定補助具の脚部が有底状の下孔に連通して発泡樹脂製断熱材を貫通する脚部挿入孔に挿入され、発泡樹脂製断熱材を、固定補助具の挿通孔に挿通されて固定対象物に締結される固定具によって、固定補助具の当接面部が発泡樹脂製断熱材の有底状の下孔の当接面部に、脚部が固定対象物の表面にそれぞれ当接する前記固定補助具を介して、固定対象物に取り付けてなることを特徴とする発泡樹脂製断熱材の固定構造。
【発明の詳細な説明】
【技術分野】
【０００１】
本発明は、発泡樹脂製断熱材の固定補助具及びこの固定補助具を用いた発泡樹脂製断熱材の固定構造に関するものである。
【背景技術】
【０００２】
従来、寒冷地等で用いられる床下収納庫等においては、床下の寒気が室内に伝わらないようにするために、床開口に開閉可能に設けられる蓋体等に発泡樹脂製断熱材を取り付けるようにしている。
【０００３】
ところで、発泡樹脂製断熱材を固定対象物に取り付ける場合、発泡樹脂製断熱材には、ネジや釘が利かないことから、ネジや釘からなる固定具と併用することで、ネジや釘からなる固定具によって発泡樹脂製断熱材を固定対象物に取り付けることができるようにするための固定補助具が提案されてきた（例えば、特許文献１参照。）。
【先行技術文献】
【特許文献】
【０００４】
【特許文献１】特開２００９−１４４４４９号公報
【発明の概要】
【発明が解決しようとする課題】
【０００５】
ところで、従来のネジや釘からなる固定具によって発泡樹脂製断熱材を固定対象物に取り付けることができるようにするための固定補助具は、専ら、固定補助具を介在させることによって、固定具の締結力が作用する発泡樹脂製断熱材の面積を大きくするものであるため、固定具の締結力が大きくなりすぎると、発泡樹脂製断熱材に固定補助具が食い込み、発泡樹脂製断熱材が破損してネジや釘が利かなくなるという問題があった。
【０００６】
本発明は、上記従来の発泡樹脂製断熱材の固定補助具の有する問題点に鑑み、発泡樹脂製断熱材に固定補助具が食い込まず、発泡樹脂製断熱材が破損してネジや釘が利かなくなることがなく、固定具によって発泡樹脂製断熱材を正確かつ確実に固定対象物に取り付けることができる発泡樹脂製断熱材の固定補助具及びこの固定補助具を用いた発泡樹脂製断熱材の固定構造を提供することを目的とする。
【課題を解決するための手段】
【０００７】
上記目的を達成するため、本発明の発泡樹脂製断熱材の固定補助具は、固定具によって発泡樹脂製断熱材を固定対象物に取り付けることができるようにするための固定補助具であって、発泡樹脂製断熱材に固定具の締結力を作用させる、中心に固定具の挿通孔を形成した当接面部と、該当接面部から発泡樹脂製断熱材の厚さ方向に延設し、先端が固定対象物の表面に達する長さに形成された複数の脚部とを備えることを特徴とする。
【０００８】
この場合において、前記当接面部が、円錐面をしてなるようにすることができる。
【０００９】
また、前記脚部が、当接面部の中心部分が欠如し、当接面部の中心から放射状に等角度間隔に形成されてなるようにすることができる。
【００１０】
また、本発明の発泡樹脂製断熱材の固定補助具を用いた発泡樹脂製断熱材の固定構造は、前記固定補助具が発泡樹脂製断熱材に形成された有底状の下孔に収容されるとともに、該固定補助具の脚部が下孔に連通して発泡樹脂製断熱材を貫通する脚部挿入孔に挿入され、発泡樹脂製断熱材を、固定補助具の挿通孔に挿通されて固定対象物に締結される固定具によって、固定補助具の当接面部が発泡樹脂製断熱材の有底状の下孔の当接面部に、脚部が固定対象物の表面にそれぞれ当接する前記固定補助具を介して、固定対象物に取り付けてなることを特徴とする。
【発明の効果】
【００１１】
本発明の発泡樹脂製断熱材の固定補助具及びこの固定補助具を用いた発泡樹脂製断熱材の固定構造によれば、発泡樹脂製断熱材を、固定補助具の挿通孔に挿通されて固定対象物に締結される固定具によって、固定補助具の当接面部が発泡樹脂製断熱材の有底状の下孔の当接面部に、脚部が固定対象物の表面にそれぞれ当接する前記固定補助具を介して、固定対象物に取り付けてなるようにすることにより、発泡樹脂製断熱材に固定補助具が食い込まず、発泡樹脂製断熱材が破損してネジや釘が利かなくなることがなく、固定具によって発泡樹脂製断熱材を正確かつ確実に固定対象物に取り付けることができる。
【００１２】
また、前記当接面部が、円錐面をしてなるようにすることにより、固定補助具の当接面部の発泡樹脂製断熱材の有底状の下孔の当接面部に対する当接状態を安定して確保することができ、固定具の締結力を発泡樹脂製断熱材に確実に作用させることができる。
【００１３】
また、前記脚部が、当接面部の中心部分が欠如し、当接面部の中心から放射状に等角度間隔に形成されてなるようにすることにより、固定補助具の脚部の固定対象物の表面に対する当接状態を安定して確保することができ、発泡樹脂製断熱材への固定補助具の食い込みを確実に防止することができる。
【図面の簡単な説明】
【００１４】
【図１】本発明の発泡樹脂製断熱材の固定補助具の一実施例を示す説明図で、（ａ）は平面図、（ｂ）は正面図である。
【図２】同発泡樹脂製断熱材の固定補助具を示す説明図で、（ａ）は斜め上から見た斜視図、（ｂ）は斜め下から見た斜視図である。
【図３】同発泡樹脂製断熱材の固定補助具を適用する発泡樹脂製断熱材の一実施例を示す説明図で、（ａ）は平面図、（ｂ）は（ａ）のＡ−Ａ断面図である。
【図４】同発泡樹脂製断熱材の固定補助具を適用する発泡樹脂製断熱材を示す説明図で、（ａ）は正面図、（ｂ）は底面図である。
【図５】同発泡樹脂製断熱材の固定補助具を用いた発泡樹脂製断熱材の固定構造の一実施例を示す説明図である。
【発明を実施するための形態】
【００１５】
以下、本発明の発泡樹脂製断熱材の固定補助具及びこの固定補助具を用いた発泡樹脂製断熱材の固定構造の実施の形態を、図面に基づいて説明する。
【００１６】
図１〜図２及び図５に、本発明の発泡樹脂製断熱材の固定補助具の一実施例を示す。
この発泡樹脂製断熱材の固定補助具１は、ネジや釘からなる固定具３によって発泡樹脂製断熱材２を固定対象物４に取り付けることができるようにするためのもので、発泡樹脂製断熱材２に固定具３の締結力を作用させる、中心に固定具３の挿通孔１３を形成した当接面部１１と、この当接面部１１から発泡樹脂製断熱材２の厚さ方向に延設し、先端が固定対象物４の表面に達する長さに形成された複数（本実施例においては、４本。なお、本数は、２本又は５本以上とすることもできる。）の脚部１２とを備えるようにしている。
【００１７】
そして、この発泡樹脂製断熱材の固定補助具１は、例えば、図３〜図４に示すような発泡樹脂製断熱材２（床下収納庫等における床開口に開閉可能に設けられる蓋体に用いられる発泡樹脂製断熱材）を固定対象物４（蓋体の表面材）に、固定具３によって取り付ける際に用いられるものである。
【００１８】
具体的には、固定補助具１が発泡樹脂製断熱材２に形成された有底状の下孔２０に収容されるとともに、固定補助具１の脚部１２が下孔２０に連通して発泡樹脂製断熱材２を貫通する脚部挿入孔２２に挿入され、発泡樹脂製断熱材２を、固定補助具１の挿通孔１３に挿通されて固定対象物４に締結される固定具３によって、固定補助具１の当接面部１１が発泡樹脂製断熱材２の有底状の下孔２０の当接面部２１に、脚部１２が固定対象物４の表面にそれぞれ当接する固定補助具１を介して、固定対象物４に取り付けるようにする。
【００１９】
この場合において、固定補助具１は、ポリプロピレン等のポリオレフィン、ポリアミド、塩化ビニル等の各種の合成樹脂材料からなる成形品とすることができる。
【００２０】
固定補助具１の当接面部１１は、平面のほか、本実施例に示すように、円錐面をしてなるようにし、これに対応して、固定補助具１の当接面部１１が当接する、発泡樹脂製断熱材２に形成される有底状の下孔２０の当接面部２１も、平面のほか、本実施例に示すように、円錐面をしてなるようにしている。
本実施例に示すように、固定補助具１の当接面部１１を円錐面をしてなるようにすることにより、固定補助具１の当接面部１１の発泡樹脂製断熱材２の有底状の下孔２０の当接面部２１に対する当接状態を安定して確保することができ、固定具３の締結力を発泡樹脂製断熱材２に確実に作用させることができる。
なお、固定補助具１の当接面部１１の内側の面は、固定補助具１の当接面部１１と同様に、平面のほか、本実施例に示すように、円錐面をしてなるようにすることで、均一な肉厚の部材とすることができる。
さらに、固定補助具１の当接面部１１の内側の面に、必要に応じて、使用する固定具３に応じた着座部を形成することもできる。
【００２１】
また、固定補助具１の当接面部１１には、発泡樹脂製断熱材２に形成された有底状の下孔２０に収容された固定補助具１を操作するための切欠部１４を形成するようにしている。
【００２２】
固定補助具１の脚部１２は、当接面部１１の中心部分が欠如し、当接面部１１の中心から放射状に等角度（本実施例においては、９０°）間隔に形成するようにしている。なお、上記角度は、等角度以外の任意の角度に設定することもできる。
これにより、固定補助具１の脚部１２の固定対象物４の表面に対する当接状態を安定して確保することができ、発泡樹脂製断熱材２への固定補助具１の食い込みを確実に防止することができる。
【００２３】
発泡樹脂製断熱材２に形成される有底状の下孔２０は、下孔２０の当接面部２１の位置が、下孔２０に収容した固定補助具１を固定具３によって締結することで、固定補助具１の脚部１２が固定対象物４の表面に当接した状態で、固定補助具１の当接面部１１によって若干圧縮されるように設定して形成するようにすることが好ましい。
【００２４】
発泡樹脂製断熱材２を貫通する脚部挿入孔２２は、固定補助具１の脚部１２に対応して、下孔２０の中心から放射状に等角度（本実施例においては、９０°）間隔に形成し、中心側を連続させて固定具３の挿通部２３とすることで、全体としては、十字状に形成するようにしている。
【００２５】
また、発泡樹脂製断熱材２を貫通する脚部挿入孔２２は、固定補助具１の脚部１２と同じ形状か、固定補助具１の脚部１２が脚部挿入孔２２に挿入されるときに脚部挿入孔２２が押し広げられるように、若干小さい形状に、具体的には、固定補助具１の脚部１２の厚みより若干小さい形状に形成するようにすることが好ましい。
なお、固定補助具１の脚部１２及び発泡樹脂製断熱材２を貫通する脚部挿入孔２２は、すべてを同じ形状にする必要はなく、例えば、一部の固定補助具１の脚部１２を、他の脚部１２より小さく形成することで、発泡樹脂製断熱材２を貫通する脚部挿入孔２２に遊嵌するようにすることもできる。
【００２６】
この発泡樹脂製断熱材の固定補助具及びこの固定補助具を用いた発泡樹脂製断熱材の固定構造は、図５に示すように、発泡樹脂製断熱材２を、固定補助具１の挿通孔１３に挿通されて固定対象物４に締結される固定具３によって、固定補助具１の当接面部１１が発泡樹脂製断熱材２の有底状の下孔２０の当接面部２１に、脚部１２が固定対象物４の表面にそれぞれ当接する固定補助具１を介して、固定対象物４に取り付けてなるようにすることにより、発泡樹脂製断熱材２に固定補助具１が食い込まず、発泡樹脂製断熱材２が破損してネジや釘が利かなくなることがなく、固定具３によって発泡樹脂製断熱材２を正確かつ確実に固定対象物４に取り付けることができる。
【００２７】
以上、本発明の発泡樹脂製断熱材の固定補助具及びこの固定補助具を用いた発泡樹脂製断熱材の固定構造について、その実施例に基づいて説明したが、本発明は上記実施例に記載した構成に限定されるものではなく、その趣旨を逸脱しない範囲において適宜その構成を変更することができるものである。
【産業上の利用可能性】
【００２８】
本発明の発泡樹脂製断熱材の固定補助具及びこの固定補助具を用いた発泡樹脂製断熱材の固定構造は、発泡樹脂製断熱材に固定補助具が食い込まず、発泡樹脂製断熱材が破損してネジや釘が利かなくなることがなく、固定具によって発泡樹脂製断熱材を正確かつ確実に固定対象物に取り付けることができるようにすることができることから、床開口に開閉可能に設けられる蓋体等に発泡樹脂製断熱材を取り付ける場合の用途に好適に用いることができるほか、固定具によって発泡樹脂製断熱材を固定対象物に取り付ける用途に広く用いることができる。
【符号の説明】
【００２９】
１  固定補助具
１１  当接面部
１２  脚部
１３  挿通孔
１４  切欠部
２  発泡樹脂製断熱材
２０  下孔
２１  当接面部
２２  脚部挿入孔
２３  挿通部
３  固定具
４  固定対象物
【図１】
2018178397.tif 000003
【図２】
2018178397.tif 000004
【図３】
2018178397.tif 000005
【図４】
2018178397.tif 000006
【図５】
2018178397.tif 000007